(57)【特許請求の範囲】
【請求項１】
直管ランプを保持すると共に、略Ｕ字状の部分および前記略Ｕ字状の部分に連接する支軸を備える、前記直管ランプの落下を防止するランプ落下防止部材が取り付けられるソケットであって、
前記直管ランプの口金ピンが挿入される口金接続部と、前記口金接続部の、前記直管ランプの長手方向に対して直交する方向における両側に配置される一対の側板と、を備え、前記一対の側板の各々の、前記直管ランプとは反対の側の一部が切り欠かれることで凹状の部分が形成され、前記凹状の部分の、前記直管ランプの長手方向に沿う面に、前記ランプ落下防止部材の支軸が挿通される挿通孔が設けられ、前記凹状の部分が前記ランプ落下防止部材を保持する保持手段として機能する本体を有し、
前記保持手段として機能する前記側板の前記凹状の部分の、前記直管ランプの長手方向に沿う面において、前記ランプ落下防止部材の取り付け位置を、第１位置とするか、第２位置とするかを選択可能であり、前記第１位置は、前記口金接続部に対する前記直管ランプの着脱に前記ランプ落下防止部材が干渉しない位置であり、前記第２位置は、前記口金接続部に対する前記直管ランプの着脱に前記ランプ落下防止部材が干渉する位置であるソケット。
【請求項２】
請求項１に記載のソケットにおいて、
前記保持手段として機能する前記側板の前記凹状の部分の、前記直管ランプの長手方向に沿う面上に、前記第１位置と前記第２位置とを区画する突部が設けられ、
前記突部に、前記第１位置から前記第２位置に向かって登りとなる第１傾斜面と、前記第２位置から前記第１位置に向かって登りとなる第２傾斜面と、が設けられているソケット。
【請求項３】
請求項２に記載のソケットにおいて、
前記側板に対する前記第１傾斜面の第１傾斜角度よりも前記側板に対する前記第２傾斜面の第２傾斜角度が大きいソケット。
【請求項４】
請求項１ないし請求項３のうちのいずれか１項に記載のソケットと、
前記ランプ落下防止部材と、
を備える照明器具であって、
前記保持手段として機能する前記側板の前記凹状の部分に設けられる前記挿通孔に挿通された、前記ランプ落下防止部材の前記支軸の先端が折り曲げられている照明器具。
【請求項５】
請求項１記載のソケットと、
前記ランプ落下防止部材と、
を備える照明器具であって、
前記ランプ落下防止部材に補助部材が連結され、
前記補助部材が前記第１位置にある状態で、直管型ランプの口金ピンが前記ソケットの口金接続部に挿入されると、前記補助部材は前記直管ランプによって上方に押圧され、これによって前記ランプ落下防止部材が上方に移動し、前記ランプ落下防止部材が前記第１位置から前記第２位置まで回動されて、前記ランプ落下防止部材の前記Ｕ字状の部分が前記直管型ランプの周面を覆う照明器具。
【発明の詳細な説明】
【技術分野】
【０００１】
本発明は、直管ランプの口金が接続可能なソケットおよび照明器具に関する。
【背景技術】
【０００２】
従来より、直管ランプが装着された状態でシームレスタイプの直管ランプの口金の側面を挟持する支持ばねの近傍にランプ落下防止部材を取り付けたソケットおよび照明器具が知られている（例えば、特許文献１参照）。
特許文献１は、ランプ落下防止部材が、支持ばねの取付箇所を中心として回動自在であって、直管ランプの下面を跨ぐように設けられる。
特許文献１は、ランプ取付時に作業者がランプ落下防止部材を干渉しない位置まで回動させた後に、直管ランプを取り付けることにより、直管ランプがソケットから外れて落下するのを防止する。
【先行技術文献】
【特許文献】
【０００３】
【特許文献１】特開２００９−４１８９号公報（図１、請求項１）
【発明の概要】
【発明が解決しようとする課題】
【０００４】
特許文献１は、ランプ落下防止部材がカバーと器具本体との間に閉じ込められるのを防止できる。
ところが、特許文献１は、ランプ落下防止部材が自重で垂れ下がるのみであり、位置固定できない。
特許文献１は、例えば、ランプ落下防止部材が直管ランプの取付軌跡上に垂れ下がっていると、ランプ取付時に直管ランプの周面によりランプ落下防止部材が押し上げられることがある。
特許文献１は、これを防止するために、ランプ取付時に作業者がランプ落下防止部材を干渉しない位置まで回動させた状態で作業を行う必要がある。
従って、特許文献１は、取付作業が煩雑である。
【０００５】
本発明は、前述した課題を解決するためになされたものであり、その目的は、取付作業を簡略化できるソケットおよび照明器具を提供することにある。
【課題を解決するための手段】
【０００６】
本発明に係るソケットは、直管ランプを保持すると共に、略Ｕ字状の部分および前記略Ｕ字状の部分に連接する支軸を備える、前記直管ランプの落下を防止するランプ落下防止部材が取り付けられるソケットであって、前記直管ランプの口金ピンが挿入される口金接続部と、前記口金接続部の、前記直管ランプの長手方向に対して直交する方向における両側に配置される一対の側板と、を備え、前記一対の側板の各々の、前記直管ランプとは反対の側の一部が切り欠かれることで凹状の部分が形成され、前記凹状の部分の、前記直管ランプの長手方向に沿う面に、前記ランプ落下防止部材の支軸が挿通される挿通孔が設けられ、前記凹状の部分が前記ランプ落下防止部材を保持する保持手段として機能する本体を有し、前記保持手段として機能する前記側板の前記凹状の部分の、前記直管ランプの長手方向に沿う面において、前記ランプ落下防止部材の取り付け位置を、第１位置とするか、第２位置とするかを選択可能であり、前記第１位置は、前記口金接続部に対する前記直管ランプの着脱に前記ランプ落下防止部材が干渉しない位置であり、前記第２位置は、前記口金接続部に対する前記直管ランプの着脱に前記ランプ落下防止部材が干渉する位置である。
【０００７】
本発明に係るソケットは、前記保持手段として機能する前記側板の前記凹状の部分の、前記直管ランプの長手方向に沿う面上に、前記第１位置と前記第２位置とを区画する突部が設けられ、前記突部に、前記第１位置から前記第２位置に向かって登りとなる第１傾斜面と、前記第２位置から前記第１位置に向かって登りとなる第２傾斜面と、が設けられている。
【０００８】
本発明に係るソケットは、前記側板に対する前記第１傾斜面の第１傾斜角度よりも前記側板に対する前記第２傾斜面の第２傾斜角度が大きい。
【０００９】
本発明に係る照明器具は、前記ランプ落下防止部材と、を備える照明器具であって、前記保持手段として機能する前記側板の前記凹状の部分に設けられる前記挿通孔に挿通された、前記ランプ落下防止部材の前記支軸の先端が折り曲げられている。
【００１０】
本発明に係る照明器具は、前記ランプ落下防止部材と、を備える照明器具であって、前記ランプ落下防止部材に補助部材が連結され、前記補助部材が前記第１位置にある状態で、直管型ランプの口金ピンが前記ソケットの口金接続部に挿入されると、前記補助部材は前記直管ランプによって上方に押圧され、これによって前記ランプ落下防止部材が上方に移動し、前記ランプ落下防止部材が前記第１位置から前記第２位置まで回動されて、前記ランプ落下防止部材の前記Ｕ字状の部分が前記直管型ランプの周面を覆う。
【発明の効果】
【００１２】
本発明に係るソケットおよび照明器具によれば、取付作業を簡略化できるという効果を奏する。
【図面の簡単な説明】
【００１３】
【図１】本発明に係る第１実施形態のソケットおよび照明器具の分解斜視図
【図２】本発明に係る第１実施形態の照明器具におけるランプ落下防止部材の取付前の斜め下方から視た外観斜視図
【図３】本発明に係る第１実施形態の照明器具における保持手段の水平断面図
【図４】本発明に係る第１実施形態の照明器具における側板の水平断面図
【図５】本発明に係る第１実施形態の照明器具におけるランプ落下防止部材の第１位置での斜め下方から視た外観斜視図
【図６】本発明に係る第１実施形態の照明器具におけるランプ落下防止部材の第１位置での側面図
【図７】本発明に係る第１実施形態の照明器具におけるランプ落下防止部材の第２位置での斜め下方から視た外観斜視図
【図８】本発明に係る第１実施形態の照明器具におけるランプ落下防止部材の第１位置での側面図
【図９】本発明に係る第１実施形態の照明器具におけるランプ落下防止部材の第１位置での保持手段の水平断面図
【図１０】本発明に係る第２実施形態の照明器具におけるランプ落下防止部材の第１位置での斜め下方から視た外観斜視図
【図１１】本発明に係る第２実施形態の照明器具におけるランプ落下防止部材の第１位置での側面図
【図１２】本発明に係る第２実施形態の照明器具におけるランプ落下防止部材の第２位置での斜め下方から視た外観斜視図
【図１３】本発明に係る第２実施形態の照明器具におけるランプ落下防止部材の第２位置での側面図
【発明を実施するための形態】
【００１４】
以下、本発明に係る複数の実施形態のソケットおよび照明器具について図面を参照して説明する。
（第１実施形態）
図１に示すように、本発明に係る第１実施形態のソケット１０が装備される照明器具５０は、天井面１に既に設置されている既存反射板５１にソケット台５２を介して一対の給電側のソケット１０が取り付けられる。
また、照明器具５０は、既存反射板５１にソケット台５３を介して一対の接地側のソケット１０が取り付けられ、既存反射板５１に取り付けられる電源ユニット５４と、電源ユニット５４の近傍に配置される電源端子台５５とを備える。
【００１５】
電源端子台５５には、天井面１から引き込まれる電源線５が電気的に接続されるとともに電源ユニット５４が電気的に接続され、電源ユニット５４に給電側のソケット１０および接地側のソケット１０が電気的に接続される。
そして、照明器具５０は、既存反射板５１に下方から被される反射板５６と、一対の給電側のソケット１０および一対の接地側のソケット１０に機械的および電気的に接続される一対の直管型ＬＥＤランプ５７とを備える。
照明器具５０は、既存反射板５１に反射板５６を新たに取り付けて使用するリニューアルタイプである。
【００１６】
既存反射板５１は、天井面１から下方に向けて突出されている取付ボルト２にボルト孔５８が挿通された後に座金３を介してナット４がねじ込まれることにより、天井面１にあらかじめ設置されている。
反射板５６は、厚みの薄い板部材により成形されており、床面側に反射面５９を有し、既存反射板５１内に収容される。反射板５６は、給電側のソケット１０および接地側のソケット１０を挿通させるための二対のソケット挿通孔６０を有する。
【００１７】
直管型ＬＥＤランプ５７は、断面がほぼ円形のガラス管６１の一端部の口金６２に、給電側のソケット１０に電気的に接続される給電側の口金ピン６３を有する。
直管型ＬＥＤランプ５７は、ガラス管６１の他端部の口金６４に、接地側のソケット１０に電気的に接続される接地側の口金ピン６５を有する。
直管型ＬＥＤランプ５７は、ガラス管６１内に、複数の不図示のＬＥＤを長手方向に封止させた不図示のＬＥＤ基板を有する不図示のＬＥＤユニットを内蔵している。
【００１８】
直管型ＬＥＤランプ５７は、給電側のソケット１０から給電された直流電流が給電側の口金ピン６３から接地側の口金ピン６５を通じて接地側のソケット１０に流れる。
そして、直管型ＬＥＤランプ５７は、ＬＥＤ基板に有する不図示のプリント回路に直流電流が供給されてＬＥＤが発光される。
直管型ＬＥＤランプ５７は、被照射対象に向けた照射範囲が全周に対して１／２ないし２／３である。
【００１９】
次に、ソケット１０の詳細構造について説明する。
図２に示すように、ソケット１０は、直管型ＬＥＤランプ５７の口金ピン６３（口金ピン６５）が挿入されて接続可能な本体１１を備える。
ソケット１０は、直管型ＬＥＤランプ５７の長手方向に対して直交するとともに本体１１における互いに反対側を向く一対の側板１２の側面１３に沿って配置されるランプ落下防止部材１４を備える。
【００２０】
そして、ソケット１０は、本体１１の一対の側板１２の側面１３に、本体１１に対するランプ落下防止部材１４の位置を保持する保持手段１５を備える。
ランプ落下防止部材１４は、若干の弾性反発力を有する棒状部材により略Ｕ字状に形成されたＵ字形状部１６を有し、Ｕ字形状部１６の両端部に接続されて直管型ＬＥＤランプ５７の長手方向に対して直交する支軸１７を中心として回動する。
ランプ落下防止部材１４は、各側面１３に設けられた保持手段１５を構成する挿通孔１８に支軸１７が挿通可能であって、支軸１７の先端部にソケット１０の本体１１の側板１２の内側において折り曲げられた折曲部１９を有する。
【００２１】
図３に示すように、保持手段１５は、側板１３に凹状に形成されており、本体１１に対する直管型ＬＥＤランプ５７の着脱にランプ落下防止部材１４が干渉しない第１位置Ａ１を選択可能である。
また、保持手段１５は、本体１１に対する直管型ＬＥＤランプ５７の着脱にランプ落下防止部材１４が干渉する第２位置Ａ２を第１位置Ａ１とともに選択可能である。
保持手段１５は、本体１１の側面１３にランプ落下防止部材１４を第１位置Ａ１と第２位置Ａ２とを区画する突部２０を有する。
【００２２】
突部２０には、第１位置Ａ１から第２位置Ａ２に向かって登りとなる第１傾斜面２１と、第２位置Ａ２から第１位置Ａ１に向かって登りとなる第２傾斜面２２とが設けられている。
そして、突部２０は、側面１３に対する第１傾斜面２１の第１傾斜角度θ１よりも側面１３に対する第２傾斜面２２の第２傾斜角度θ２の方が大きい。
【００２３】
ランプ落下防止部材１４は、第２位置Ａ２において、直管型ＬＥＤランプ５７の落下時に生ずる荷重では、第２傾斜面２２を乗り越えずに第２位置Ａ２に保持されるために、直管型ＬＥＤランプ５７が落下しないように保持する。
ランプ落下防止部材１４は、直管型ＬＥＤランプ５７の交換時に、人の操作力により押圧された際に、第２傾斜面２２を乗り越えて第２位置Ａ２から第１位置Ａ１に回動されるために、第１位置Ａ１においてランプ交換できる。
【００２４】
ソケット１０は、ランプ落下防止部材１４の支軸１７に不図示のインターロック機構が接続されている。このインターロック機構は、直管型ＬＥＤランプ５７がソケット１０から取り外されるとロック状態となる。
インターロック機構は、ロック状態となると、ソケット１０への電源の供給を遮断する。
そして、インターロック機構は、直管型ＬＥＤランプ５７がソケット１０に装着されるとアンロック状態となる。
【００２５】
インターロック機構は、アンロック状態となると、ソケット１０へ電源を供給する。
このように、ソケット１０がインターロック機構を装備することにより、通電状態でランプ交換を行っても、ソケット１０への通電が遮断されるために、万が一に、ソケット１０を手で触れたとしても電気的な安全性を確保できる。
【００２６】
図４に示すように、ソケット１０には、側板１２の背面に直管型ＬＥＤランプ５７の軸方向に平行なスリット２３が形成されている。
そのため、ランプ落下防止部材１４をソケット１０に装着する際に、スリット２３を通じて支軸１７を挿通孔１８に容易に挿入できる。
また、ランプ落下防止部材１４の支軸１７が挿通孔１８に挿入された後に、側板１２の裏面に折曲部１９が配置される。
そのため、ランプ落下防止部材１４を第１位置Ａ１から第２位置Ａ２へ、または、第２位置Ａ２から第１位置Ａ１へ回動させる際に、支軸１７の挿通孔１８からの抜け出しを防止できる。
【００２７】
次に、ランプ落下防止部材１４の動作について説明する。
図５および図６に示すように、ランプ落下防止部材１４が第１位置Ａ１にあることにより、ソケット１０の下方が開放状態となって直管型ＬＥＤランプ５７を干渉しない。
そのため、ソケット１０の本体１１に、直管型ＬＥＤランプ５７の口金ピン６３（口金ピン６５）が挿入可能となり、直管型ＬＥＤランプ５７をソケット１０に装着したり、直管型ＬＥＤランプ５７をソケット１０から取り外したりできる。
このとき、ランプ落下防止部材１４は、保持手段１５により第１位置Ａ１に保持されているために、従来のもののように、自重で垂れ下がるようなことがない。
【００２８】
図７および図８に示すように、ランプ落下防止部材１４が第１位置Ａ１にある際に、直管型ＬＥＤランプ５７の口金ピン６３（口金ピン６５）がソケット１０の本体１１に挿入される。
そのため、直管型ＬＥＤランプ５７がソケット１０に機械的および電気的に接続され、直管型ＬＥＤランプ５７がソケット１０に装着されたことが確認された後に、ランプ落下防止部材１４が第１位置Ａ１から第２位置Ａ２まで回動される。
図９に示すように、ランプ落下防止部材１４は、緩やかな第１傾斜面２１を乗り越えた後に、第２位置Ａ２に保持されるために、第１位置Ａ１から第２位置Ａ２に簡単に切換えできる。
【００２９】
また、第１傾斜面２１が緩やかな斜面であるために、ランプ落下防止部材１４を小さな力で第２位置Ａ２まで回動できる。
ランプ落下防止部材１４は、第２位置Ａ２において、直管型ＬＥＤランプ５７の口金ピン６３（口金ピン６５）の近傍の周面を覆うために直管型ＬＥＤランプ５７の着脱に干渉することになる。
そのため、ランプ落下防止部材１４により、直管型ＬＥＤランプ５７が落下しないように保持できる。
【００３０】
以上、説明した本発明に係る第１実施形態のソケット１０によれば、保持手段１５により、ランプ落下防止部材１４が、直管型ＬＥＤランプ５７の着脱に干渉しない第１位置Ａ１と、直管型ＬＥＤランプ５７の着脱に干渉する第２位置Ａ２とを選択可能である。
従って、ソケット１０によれば、取付作業を簡略化できる。
【００３１】
また、ソケット１０によれば、保持手段１５に、第１位置Ａ１から第２位置Ａ２に向かって登りとなる第１傾斜面２１と、第２位置Ａ２から第１位置Ａ１に向かって登りとなる第２傾斜面２２とを有する突部２０が設けられている。
従って、ソケット１０によれば、第１位置Ａ１と第２位置Ａ２とを確実に区画できる。
【００３２】
そして、ソケット１０によれば、第１傾斜面２１の第１傾斜角度θ１よりも第２傾斜面２２の第２傾斜角度θ２の方が大きい。
従って、ソケット１０によれば、ランプ落下防止部材１４を、第１位置Ａ１から第２位置Ａ２に簡単に切換えでき、第２位置Ａ２から第１位置Ａ１に容易に切換えできないようにできる。
【００３３】
さらに、ソケット１０によれば、ランプ落下防止部材１４の支軸１７が挿通孔１８に挿入された後に、側板１２の裏面に折曲部１９が配置される。
従って、ソケット１０によれば、ランプ落下防止部材１４を第１位置Ａ１から第２位置Ａ２へ、または第２位置Ａ２から第１位置Ａ１へ回動させる際に、支軸１７の挿通孔１８からの抜け出しを防止できる。
【００３４】
加えて、照明器具５０によれば、ソケット１０により取付作業を簡略化できる。
【００３５】
（第２実施形態）
次に、本発明に係る第２実施形態のソケットおよび照明器具について説明する。
なお、以下の各実施形態において、前述した第１実施形態と重複する構成要素や機能的に同様な構成要素については、図中に同一符号あるいは相当符号を付することによって説明を簡略化あるいは省略する。
【００３６】
図１０に示すように、本発明に係る第２実施形態の照明器具８０に装備されるソケット３０は、補助部材３２が連結されたランプ落下防止部材３１を備え、突部を有さない保持手段３３を備えている。
補助部材３２は、ランプ落下防止部材３１が第１位置Ａ１に保持されているときに、本体１１に対する直管型ＬＥＤランプ５７の接続軌跡上に配置される。
ランプ落下防止部材３１は、補助部材３２が、略Ｌ字形状に形成されて、その基部がＵ字形状部１６の基部に９０度よりも十分に小さい角度（図１１参照）θ３を介して接続されている。
【００３７】
図１１に示すように、ランプ落下防止部材３１が第１位置Ａ１にあると、ソケット３０の下方が開放状態となって直管型ＬＥＤランプ５７を干渉しない。
このとき、ランプ落下防止部材３１は、補助部材３２が、本体１１に対する直管型ＬＥＤランプ５７の接続軌跡上に配置される。
【００３８】
図１２および図１３に示すように、ランプ落下防止部材３１が第１位置Ａ１にある際に、直管型ＬＥＤランプ５７の口金ピン６３（口金ピン６５）がソケット３０の本体１１に挿入される。
このとき、ランプ落下防止部材３１の補助部材３２が、本体１１に対する直管型ＬＥＤランプ５７の接続軌跡上に配置されている。
そのため、ランプ落下防止部材３１は、直管型ＬＥＤランプ５７のソケット３０への進行に伴い、補助部材３２が、図１３中の上方へ向けて押圧される。
【００３９】
補助部材３２が上方へ押圧されることにより、ランプ落下防止部材３１はＵ字形状部１６も同様に上方に移動される。
そして、ランプ落下防止部材３１が第１位置Ａ１から第２位置Ａ２まで回動されることにより、ランプ落下防止部材３１のＵ字形状部１６が直管型ＬＥＤランプ５７の周面を覆う。
これにより、ランプ落下防止部材３１により、直管型ＬＥＤランプ５７が落下しないように保持できる。
【００４０】
第２実施形態のソケット３０によれば、ランプ落下防止部材３１が第１位置Ａ１に保持されているときに、補助部材３２が、本体１１に対する直管型ＬＥＤランプ５７の接続軌跡上に配置される。
そのため、ソケット３０によれば、直管型ＬＥＤランプ５７がソケット３０に装着される際に、補助部材３２を介してランプ落下防止部材３１が第１位置Ａ１から第２位置Ａ２まで自動的に回動される。
従って、ソケット３０によれば、補助部材３２により、直管型ＬＥＤランプ５７が落下しないように自動的に保持できる。
【００４１】
なお、本発明のソケットおよび照明器具においてソケット台，電源ユニット，電源端子台，直管型ＬＥＤランプ等は、前述した各実施形態に限定されるものでなく、適宜な変形や改良等が可能である。
【符号の説明】
【００４２】
１０，３０  ソケット
１１  本体
１４，３１  ランプ落下防止部材
１５，３３  保持手段
１７  支軸
１８  挿通孔
２０  突部
２１  第１傾斜面
２２  第２傾斜面
３２  補助部材
５０，８０  照明器具
５７  直管型ＬＥＤランプ（直管ランプ）
６２，６４  口金
６３，６５  口金ピン
【図１】
0005842094.tif 000002
【図２】
0005842094.tif 000003
【図３】
0005842094.tif 000004
【図４】
0005842094.tif 000005
【図５】
0005842094.tif 000006
【図６】
0005842094.tif 000007
【図７】
0005842094.tif 000008
【図８】
0005842094.tif 000009
【図９】
0005842094.tif 000010
【図１０】
0005842094.tif 000011
【図１１】
0005842094.tif 000012
【図１２】
0005842094.tif 000013
【図１３】
0005842094.tif 000014